(57)【要約】【課題】無線通信システムのデッドロックを避けるための強化ポーリング法を提供する【解決手段】  本発明の無線通信システムにおけるポーリング法は、第一の所定期間内にポーリングを禁止する工程と、ポーリングが禁止されている間にポール機能を起動する工程と、第一の所定期間の後に、送信または再送信に予定されるPDUがない、且つ、既に送信され、まだ応答されていないPDUが少なくとも一つあることを判定する工程と、PDUを選択し再送信に予定し、ポール機能を実行する工程とを有する。【選択図】  図９
2006087113.tif 000002
【特許請求の範囲】
【請求項１】
プロトコールデータユニット（PDU：Protocol  Data  Unit）とサービスデータユニット（SDU：Service  Data  Unit）とを用いる無線通信システム用ポーリング法であって、
第一の所定期間内にポーリングを禁止する工程と、
前記ポーリングが禁止されている間にポール機能を起動する工程と、
前記第一の所定期間の後に、送信または再送信に予定される前記PDUがない、且つ、既に送信され、まだ応答されていないPDUが少なくとも一つあることを判定する工程と、
PDUを選択し再送信に予定し、ポール機能を実行する工程と、
を有する  
ポーリング法。
【請求項２】
前記ポール機能を起動するトリガーは、
一回目送信のバッファにおける最後のPDUが送信に予定される場合に、前記ポール機能を起動する第一のトリガーと、
再送信バッファにおける最後のPDUが送信に予定される場合に、前記ポール機能を起動する第二のトリガーと、
所定の数の第一のPDUが送信または再送信に予定される場合に、前記ポール機能を起動する第三のトリガーと、
所定の数の第二のSDUが送信に予定される場合に、前記ポール機能を起動する第四のトリガーと、
送信ウィンドウの所定の割合に達した場合に、前記ポール機能を起動する第五のトリガーと、
のいずれかである、
請求項１に記載のポーリング法。
【請求項３】
前記ポール機能を起動するトリガーは、
ポーリングが送信された後の第二の所定期間内に期待ステータスレポートが受信されない場合に、前記ポール機能を起動するポーリングタイマートリガーと、
第三の所定の期間内に、前記ポール機能を起動するタイマーに基づきトリガーと、
のいずれかである、
請求項１に記載のポーリング法。
【請求項４】
前記選択されたPDUは、少なくとも一回送信された、最後のPDUである、
請求項１に記載のポーリング法。
【請求項５】
前記選択されたPDUは、送信された後に、送信ウィンドウのサイズが前記通信システムのプロトコールデータユニットにおけるシーケンスナンバースペース値の半分以下になった際に、応答されていない、
請求項１に記載のポーリング法。
【発明の詳細な説明】
【技術分野】
【０００１】
本発明は、無線通信に関し、具体的に、３GPP無線通信システムの強化ポーリング法と装置に関する。
【背景技術】
【０００２】
高性能な通信技規約が開発されつつある。３GPPTM（The  3rd  Generation
Partnership  Project）は、新たな通信規約の一例である。例えば、「非特許文献１」には、ユニバーサル移動体通信システム（Universal
Mobile Telecommunication System： UMTS）とデータ送信制御プロトコールが説明されている。
【０００３】
それらの規約は三層方法により通信を行う。図１は、３GPPTM通信規約における通信システムの三層方法を示すブロック図である。図１に示すように、代表的な無線通信システムにおいて、第一の局１０は、一つ以上の第二の局２０と無線通信を行う。第一の局１０のアプリケーション１３はメッセージ１１を生成し、層３のインターフェス１２に送り、そして、メッセージ１１は第二の局２０に送られる。また、層３のインターフェス１２は、層３の操作を制御するための信号メッセージ１４を生成できる。層３のインターフェス１２はメッセージ１１または信号メッセージ１４を層２のサービスデータユニット（Service  Data  Unit、SDU：SDU）１５として層２のインターフェス１６に伝送する。層２のSDU１５は任意の長さを有しても良い。層２のインターフェス１６はSDU１５と一つ以上の層２のプロトコールデータユニット（Protocol  Data  Unit、PDU：PDU）１７とを結合する。層２のPDU１７の各々は固定長を有し、層１のインターフェス18に伝送される。
【０００４】
層１のインターフェス１８は、物理層であり、データを第二の局２０に送信する。送信データは、第二の局２０の層１のインターフェス２８に受信され、一つ以上のPDU２７に再構成され、層２のインターフェス２６に送信される。層２のインターフェス２６は、PDU２７を受信し、PDU２７から一つ以上の層２のSDU２５を構成する。層２のSDU２５は、層３のインターフェス２２に送信される。層３のインターフェス２２は層２のSDU２５をメッセージ２１または層３の信号メッセージ２４に変換した後に、メッセージ２１か層３の信号メッセージ２４は層３のインターフェス２２により処理される。ここで、メッセージ２１は、第一の局１０のアプリケーション１３により生成された元のメッセージ１１と一致しており、層３の信号メッセージ２４は、層３のインターフェス１２により生成された元の信号メッセージ１４と一致している。受信されたメッセージ２１は、第二の局のアプリケーション２３に送信される。（ここで、PDUは、データの単位であり、下位層に送信或いは下位層から受信するために、層の内部に使用され、SDUは、データの単位であり、上位層に送信され、或いは上位層から受信される。）
前述の通信規約には、３種類の可能なデータ送信モード、即ち、透過モード（Transparent  Mode：TM）、確認モード（Acknowledge  Mode：AM）と非確認モード（Unacknowledge  Mode：UM）がある。本発明はAMのみに関連するので、ここで述べる従来技術の範囲はAM送信に関連する背景技術に限る。
【０００５】
送信局は、送信されたメッセージ或いはメッセージの一部が受信局により受信されたことを確認するために、受信局からの確認応答を要求するので、このような送信方式は、AM送信と呼ばれる。受信局から戻ってきた応答情報に基づき、送信局は、前述のようにパケット化のデータを続いて送信し、或いは、既に送信したデータの未確定の部分を再送信する。このような送信方式は、受信局からの応答情報を確認してから次の送信内容を決めるので、通信時間やシステムにオーバヘッドが生じる。そのため、送信局のRLC層は、前述のオーバヘッドの影響を最小限にする。この動作は、受信局からの応答メッセージ、即ちステータスレポートを確認するために受信局へ送るリクエストのナンバーを制御することにより、管理される。ステータスレポートは、送信局により送信されるPDUのヘッダーにポールビット（Poll  Bit）を設定することにより、リクエスト或いはポールされる。図２は、従来のAMデータ（Acknowledge  Mode  Data：AMD）の構成を示すブロック図である。AMD  PDUは、前述のように所定の通信システムにおいて固定長を有するので、図２のAMD  PDU３０は、所定のオクテットナンバー、即ち８ビットのバイナリワードを有する。AMD  PDU３０の第一のオクテット３１は、データ／コントロール（Data/Control：D/C）ビット３１０と、１２ビットのPDUシーケンスナンバー（Sequence  Number、SN。以下、SNと言う）の最初の七つのビット３１１とからなる。D/C３１０は、PDUの種類、即ちデータかコントロールを表示するために使用される。第二のオクテット３２は、前述の１２ビットのPDU  SNの他の五つのビット３２０と、ポールビット３２１と、ヘッダーエクステンション（Header  Extension：HE）ビット３２２とからなる。前述の１２ビットのSNは、受信されたPDUから元のメッセージを正確に再構成できるように受信局により使用され、HEビット（二つがある）は、次のオクテット、即ち第三のオクテット３３がデータか長さインジケータ（Length  Indicator：LI）であることを表示するために使用される。AMD  PDU  ３０の例に示すように、第三のオクテット３３は、LI３３０とエクステンションビット（Extension  Bit）３３１とを含み、LI３３０は、データブロック３５に含まれるSDUの最後のバイトのPDU３０における位置を確定するために、使用される。AMD  PDUには、一つ以上のLIを含むことができるので、エクステンションビット３３１は、次のオクテットがデータか他のLIであることを表示するために含まれる。よって、第一のLI３３０と最後のLI３４０との間に幾つのLIを含むことがある。また、PDUの各々は所定の長さに合わせるので、PDU３０は、データ３５が足りないため所定の数のオクテットに完全に充填できなくても、短縮されることができない。そのため、パディング３６が残るオクテットに挿入される。
【０００６】
特に関連するのは、ポールビット３２１である。ポールビット３２１は、ポールビットが設定されているいずれのPDUが受信局により受信されるステータスレポートを返事するために、使用される。図３は、前述の３層プロトコールを用いる通信システム４０の送信局４１と受信局４２との間に転送されるAMD  PDUを表示するメッセージシーケンス図である。PDUの文字列４００〜４０５は、送信局４１から受信局４２に順次に送信され、最後のPDU４０５は、ポールビットを有する。これにより、受信局４２は、受信されたPDU４０５に基づいて送信局４１にステータスレポート４０６を送信することにより、返答する。
【０００７】
ポールビットと共に送信されるPDUの設定は、前述の通信規約に従い、RLCの各々の上位層により得られる。ここに係る通信システムは、以下のいずれかのイベントが発生するときに、ポーリングを起動することができる。
（１）（一回目の）送信バッファにおける最後のPDUは送信された。
（２）再送信バッファにおける最後のPDUは送信された。
（３）“ポーリングタイマー（Poll_Timer）”機能は、タイムアウトした（ポーリングが送信されてから所定の期間が過ぎ去った際にポール機能を起動する）。
（４）“ポーリングPDU（Every  Poll_PDU）”のPDUは送信された（所定の数のPDUが送信または再送信に予定される際にポール機能を起動する）。
（５）“ポーリングSDU（Every  Poll_SDU）”のSDUは送信された（所定の数のSDUが送信に予定される際にポール機能を起動する）。
（６）“ポールウィンドウ（Poll_Window）”機能により要求された条件が実現された（即ち、送信ウィンドウの所定の割合に達した際にポール機能を起動する“ウィンドウに基づきトリガー（Window  Based  Trigger）”である）。
（７）所定の時間が切れ、即ち、“タイマーに基づき（Timer  Based）”機能が設定された（周期的にポーリングを起動する）。
【０００８】
前述の他に、上位層により“ポーリング禁止タイマー（Timer_Poll_Prohibit）”と言うタイマーは、生成されることができ、所定の時間内にポーリングの送信を禁止するために使用される。ポーリングの送信が今の“ポーリング禁止タイマー”により禁止される際に、他のポーリングを起動しようとしても、今の“ポーリング禁止タイマー”が切れたまで待ちしない。また、“ポーリング禁止タイマー”が動作中に複数のポーリングが起動されても、“ポーリング禁止タイマー”が切れた後に、一つのポーリングのみが送信される。
【０００９】
「非特許文献１」に説明された従来のポーリングプロセスは、図４に示された流れ図のようにまとめられる。
ステップ１０００：プロセス開始。
ステップ１００１：システムは、新しい送信PDUがあるかを確認する。あれば、プロセスはステップ１０１０に進み、なければ、ステップ１００２に進む。
ステップ１００２：システムは、否定応答された送信PDUがあるかを確認する。あれば、プロセスはステップ１０１１に進み、なければ、ステップ１００３に進む。
ステップ１００３：システムは、ポール機能が起動されているかを確認する。はい（Yes）であれば、プロセスはステップ１００４に進み、いいえ（No）であれば、ステップ１０１７にて終了する。
ステップ１００４：システムは、ポーリングが禁止されるかを確認する。ポーリングが禁止されない場合、プロセスはステップ１００５に進み、他の場合、ステップ１０１７にて終了する。
ステップ１００５：ポール機能が起動され、次の送信PDUのポールビットは１に設定される。
ステップ１００６：システムは、送信または再送信に予定されるPDUがないか、また、既に送信された、まだ応答されていない（肯定または否定）PDUがあるかを確認する。はい（Yes）であれば、プロセスはステップ１００７に進み、いいえ（No）であれば、ステップ１０１７にて終了する。
ステップ１００７：システムは、ステップ１００３に確認されたポール機能を起動したトリガーは、“ポーリングタイマー（Poll_Timer）”であるか、或いは“タイマーに基づき（Timer_Based）”であるかをチェックする。はい（Yes）であれば、プロセスはステップ１００８に進み、いいえ（No）であれば、ステップ１０１７にて終了する。
ステップ１００８：システムは、ポールビットを持つ適切な再送信PDUを選択する。
ステップ１００９：システムは、選択されたPDUを送信予定にする。プロセスはステップ１０１６に進む。
ステップ１０１０：システムは、新しいPDUを送信予定にする。プロセスはステップ１０１２に進む。
ステップ１０１１：システムは、否定応答（Negatively  Acknowledge：NACKed）されたPDUを送信予定にする。
ステップ１０１２：システムは、ポール機能が起動されているかをチェックする。はい（Yes）であれば、プロセスはステップ１０１３に進み、いいえ（No）であれば、ステップ１０１５に進む。
ステップ１０１３：システムは、ポーリングが禁止されるかをチェックする。ポーリングが禁止される場合、プロセスはステップ１０１５に進み、他の場合、ステップ１０１４に進む。
ステップ１０１４：ポール機能が起動され、次の送信PDUのポールビットが１に設定される。
ステップ１０１５：ポール機能が起動されなく、次の送信PDUのポールビットが０に設定される。
ステップ１０１６：システムは、送信PDUを下位層に送信する。
ステップ１０１７：プロセス終了
図５は、図３と同様なシーケンスを示す図である。また図５において、図３と同じの構成要素に同じ番号を付ける。送信局の設定は、以下の五つのポーリングトリガーが有効になるように、上位層RLCにより確定される。
（１）“（一回目送信）バッファにおける最後のPDU”。
（２）“再送信バッファにおける最後のPDU”。
（３）“ポーリングタイマー（Timer_Poll＝２００ms）。
（４）“各々のポーリングPDUのPDU（Poll_PDU＝４）。
（５）“各々のポーリングSDUのSDU（Poll_SDU＝４）。
【００１０】
また、“ウィンドウに基づき”トリガーと“タイマーに基づき”トリガーが無効になり、ポーリング禁止機能がTimer_Poll_Prohibit＝２５０ｍｓと設定され、一つのSDUが送信のために上位層により要求され、またSDUの送信が肯定応答された際にRLCの送信確認が上位層に要求され、更にSDUが六つのPDU（SNが０、１、２、３、４及び５である）に分割される。
【００１１】
送信局４１は、六つのPDU４００〜４０５（例えば、０、１、２、４および５のSNを持つ）を順次に送信する。送信される四番目のPDU４０３（SN=3）が送信に予定されるときに、“各々のポーリングPDUのPDU”のポーリングトリガーが有効になり、四番目のPDUのポールビットが設定される。PDU４０３（SN=3）は下位層により送信されるときに、ポーリングタイマー４５（２００ms）とポーリング禁止タイマー４３（２５０ms）機能は、同時に開始する。続いて、送信される５番目のPDU４０４（SN=4）と６番目のPDU４０５（SN=5）とは、それぞれ送信予定になる。PDU４０５（SN=5）は送信された後に、送信される他のPDUがないので、“バッファの最後のPDU”トリガーが有効になる。しかし、従来技術によればポーリング禁止機能（ポーリング禁止タイマー）がまた有効であるので、ポーリングトリガー４８が遅延される。そのため、６番目のPDU、即ち最後のPDUは、ポールビットと共に送信されてない。例えば、無線通信中に３番目のPDU４０２（SN=2）が失った場合、受信局は４番目のPDU（ポールビットを持ち）を受信し、それに応じてステータスレポート４０６を送信する。この場合、PDU４００（SN=０）、PDU４０１（SN=1）及びPDU４０３（SN=3）は受信されたので、肯定応答は送信される。PDU４０２（SN=2）は、否定応答が送信された。それから、ステータスレポート４０６が無線通信中に失った。
【００１２】
時間４６において、ポーリングタイマーはカウントダウンを終了しても、ポーリング禁止タイマー４３はまた動作するので、ポーリングタイマー４５によるポーリングトリガー４９は遅延される。ポーリング禁止タイマー４３は時間４４に切れたときに、遅延されている二つの有効なポーリングトリガー４８と４９を有しても、一つのポーリングのみが発行され、PDU４０２aと共に送信される。PDU４０２aは、選択されたPDU４００（SN=0）の再送信であり、且つ、肯定応答されていない（ステータスレポートが既に失ったため）。受信局４２は、PDU４０２aを受信した後に、送信局４１にスタータスレポート４０７を送信することにより、SNが１、１、３、４及び５であるPDUに対して肯定応答し、SNが２であるPDUに対して否定応答する。この場合、従来の方法では、PDU４０２（SN=2）とそのポールビット（図５に示されていない）を再送信でき、スムーズに先に進まれる。
【００１３】
図５には、否定応答PDU或いは送信される他のSDUを有しなく、また、ポーリング禁止タイマーが切れた後にポーリングが禁止されないため、“タイマーに基づき”より起動されるポーリングは、図４のステップ１００８、１００９と１０１６に説明したように適切なPDUの再送信と共に送信される。この適切なPDUは、SN=VT(S)−１であるPDUであり、即ち、少なくとも一回送信された最後のPDU（例えば、図５のPDU４０５）である。VT(S)は、送信局により保存される“送信された状態（Send  State）”変数であり、PDUが一回目送信されたときに、VT(S)の値が１増え、PDUが再送信されたときに、VT(S)の値が増えない。
【００１４】
また、SN=VT(S)−１であるPDUに対して、“生成されたTXウィンドウサイズ（Configured_TX_Widow_Size）”が２０４８、即ち、シーケンスナンバースペースの半分より小さい場合、応答されていないPDUのいずれか（例えば、図５のPDU４００、４０１、４０２、４０３及び４０４）は、適切なPDUとして選択されることができ、ポーリングを持つために再送信予定になる。“送信ウィンドウサイズ（Transmission  Window  Size）”は、PDUの最大ナンバーのパラメータに関連する。送信局が受信局からのステータスメッセージを受信しなくても、送信することができる（受信局が受信することができる）。更に、このパラメータは上位層により設定される。
【００１５】
しかし、前述の従来のポーリングプロセスにおいて、次の例に説明されるようにデッドロックが発生することがある。この例の初期条件は、図５に示した例の初期条件と同じである。即ち、送信局の設定は、以下の五つのポーリングトリガーが有効になるように、上位層RLCにより確定される。
（１）“（一回目送信）バッファの最後のPDU”。
（２）“再送信バッファの最後のPDU”。
（３）“ポーリングタイマー（Timer_Poll＝２００ms）。
（４）“ポーリングPDUのPDU（Poll_PDU＝４）。
（５）“ポーリングSDUのSDU（Poll_SDU＝４）。
【００１６】
更に、図５の例と同じように、“ウィンドウに基づき”トリガーと“タイマーに基づき”トリガーが無効になり、ポーリング禁止機能がTimer_Poll_Prohibit＝２５０ｍｓと設定され、一つのSDUが送信のために上位層により要求され、またSDUの送信が肯定応答された際にRLCの送信確認が上位層に要求され、更にSDUが六つのPDU（SNが０、１、２、３、４及び５である）に分割される。
【００１７】
図６は、この例を示す図である。図６に示すように、送信局４１と受信局４２との間の通信は、図５の例のPDU４００〜４０５の送信において一致である。図５の例と異なるのは、この例のステータスレポート４０６がPDU４００〜４０３（SN＝０〜３）に対して肯定応答し、且つ、送信局４１がステータスレポート４０６を受信する。この場合、従来の方法によれば、時間４７において、ポーリングタイマー４５を取り消す可能であり、また、“バッファ最後のPDU”と言うポーリングトリガーが時間４４まで遅延されでも、送信または再送信に予定されるPDUを有しない。その原因は、送信される他のSDUを有しなく（ゆえに、PDUを有しない）、再送信される否定応答のPDUを有しなく、また、図４のステップ１００６と１００７によれば、ポーリング禁止タイマーにより遅延されたポーリングが“ポーリングタイマー”または“タイマーに基づき”により先に起動された際に、SN=VT(S)−１であるPDUのみが予定になる。“ポーリングタイマー”機能が取り消され、且つ、“タイマーに基づき”機能が生成されることができないので、前述の従来の方法によれば、送信局４１は、ステータスレポート４０６を受信した後に送信または再送信するPDUを有しないので、アイドル状態となり、即ち、ポーリングを送信する動作を有しない。これにより、５番目と６番目のPDUが受信されたことを応答するステータスレポートが無ければ、RLCの送信確認が上位層に送られることができないので、送信局と受信局との両方のRLC層は、他の操作に進めることができなく、即ち、RCL層がデッドロックとなる。
【００１８】
ゆえに、３GPP無線通信において、前述のRCL層のデッドロックを避けることができる方法が望ましい。
【非特許文献１】The  Third  Generation  Partnership  Project  （３GPP）  Specification,  25.322  V6.1.0  （2004−06），Radio  Link  Control（RLC）Protocol  Specification．
【発明の開示】
【発明が解決しようとする課題】
【００１９】
本発明の目的は、無線通信システムのデッドロックを避けるための強化ポーリング法を提供することにある。
【課題を解決するための手段】
【００２０】
上記目的を達成するために、本発明の無線通信システムのポーリング法は、第一の所定の期間内にポーリングを禁止する工程と、ポーリングが禁止されている間にポール機能を起動する工程と、第一の所定期間の後に、送信または再送信に予定されるPDUがない且つ、既に送信され、まだ応答されていないPDUが少なくとも一つあることを判定する工程と、PDUを選択し再送信に予定し、ポール機能を実行する工程とを有する。ポール機能を起動するトリガーは、第一回目送信のバッファにおける最後のPDUが送信に予定される場合にポール機能を起動するトリガーと、再送信バッファにおける最後のPDUが再送信に予定される場合にポール機能を起動するトリガーと、所定の数の第一のPDUが送信またな再送信に予定される場合にポール機能を起動するトリガーと、所定の数の第二のSDUが送信に予定される場合にポール機能を起動するトリガーと、送信ウィンドウの所定の割合に達した場合にポール機能を起動するトリガーとを含む。
【発明の効果】
【００２１】
本発明は、無線通信システムのデッドロックを避けるための強化ポーリング法を提供する。
【発明を実施するための最良の形態】
【００２２】
次に、添付した図面を参照しながら、本発明の好適な実施形態を詳細に説明する。
【００２３】
本実施例の送信と受信局の設定は、図５と図６の従来技術の実施例に示された構成と同様である。即ち、送信局は、次の五つのポーリングトリガーを可能にするために、上位層により設定される。
（１）“（一回目送信）バッファにおける最後のPDU”。
（２）“再送信バッファにおける最後のPDU”。
（３）“ポーリングタイマー”（Timer_Poll＝２００ｍｓ）”。
（４）“ポーリングPDUの数（Poll_PDU＝４）”。
（５）“ポーリングSDUの数（Poll_SDU＝４）”。
【００２４】
また、同じように、“ウィンドウに基づき”トリガーと“タイマーに基づき”トリガーが無効になり、ポーリング禁止機能がTimer_Poll_Prohibit＝２５０ｍｓと設定され、一つのSDUが送信のために上位層により要求され、またSDUの送信が肯定応答された際にRLCの送信確認が上位層に要求され、更にSDUが六つのPDU（SNが０、１、２、３、４及び５である）に分割される。
【００２５】
図７は、本発明によるAMD  PDU転送の好適な実施例を示すメッセージシーケンス図である。従来技術の実施例と同じように、受信局７２は、六つのPDU７００〜７０５（SN=０〜５）を受信し、SN＝０〜３であるPDUを肯定応答するステータスPDU706を送信する。ここで、四番目のPDU７０３（SN＝３）がポーリングと共に受信されている。今のポーリングタイマー機能７５が切れた前の時間７７に送信局７１はステータスレポート７０６を受信するので、ポーリングタイマー機能７５を取り消す。これにより、ポーリングタイマー機能７５のカウントダウンが切れる予定の時間７６において送信するポーリングがない。しかし、ポーリング禁止タイマー機能７３が切れた際に、遅延されたポーリング７８（PDU７０５（SN＝５）が送信に予定された際に“（一回目送信）バッファの最後のPDU”と言うトリガーにより起動されているが、ポーリング禁止タイマー機能７３が動作中であるので、送信されていない）が送信を待機する。更に、この際、送信または再送信に予定される他のPDUを有しなく、また、従来の方法によれば、関連するポーリングが“ポーリングタイマー”或いは“タイマーに基づき”機能（図４のステップ１００７）により起動されないので、予定になれるPDUはない。また、既存のポーリングタイマー機能７５がステータスレポート７０６により取り消されたので、ポーリングタイマー機能が切れる予定の時間において、ありそうな適切なポーリングトリガーが発生することはない。これにより、本発明の方法では、ポーリング禁止機能７３が切れる際にPDUの状態を確認する。即ち、送信した、応答されていない少なくとも一つのPDUがあるかどうかを確認する。この実施例において、送信したPDU７０４と７０５が応答されていないので、PDU状態の確認が続けられる。また、本発明の方法によれば、送信局７１は、適切なPDU７０５aを再送信する。この適切なPDU７０５aは、今のSN＝VT（S）−１である条件に満たす最後のPDU７０５（SN＝５）であり、ポールビットを有する。よって、受信局７２が最後のPDU７０５（SN＝５）、即ちPDU７０５aの再送信を受信する際にポーリングが含まれるので、受信局は、SN=５であるPDUまでの全てのPDUに対しての受信を肯定応答するステータスレポート７０７を送信する。ステータスレポート７０７に基づき、送信局７１は、上位層が次のプロセスへ進むことができるようにSDU受信情報を上位層（図示せず）に送信する。これにより、従来の方法による不可避のデッドロックを避けることができる。
【００２６】
また、前述の実施例と異なり、送信した全てのPDUが応答されるので、PDU状態の確認結果が“いいえ（No）”になる。この場合、次に説明するように無用なポーリングの送信を避けることができる。
【００２７】
図８は、本発明おける無用なポーリングの送信を避ける好適な実施例を示すメッセージシーケンス図である。図８に示すように受信局７２が送信されたPDU７０５a（SN＝５）とポーリングを受信しない場合、或いは、図７のステータスレポート７０７が通信中（図８に示されていない）に失った場合には、ポーリングタイマー機能は、今のポーリングタイマーのカウントダウンが切れた際に、適切なPDU７０５b（例えば、新しいPDUが送信に予定されない場合、SN＝VT(S)−１）を再送信することにより、ポーリングを再送信することができる。具体的に、図８に示された場合には、ポーリングがPDU７０５とポールビットを再送信することにより再送信されるので、ステータスレポート７０７aを送信させる。これにより、本発明の方法を用い、従来の方法によるデッドロックを避けるのみならず、無用なポーリングの送信を避けることができる。
【００２８】
本発明の方法は、ソフトウェアまたはファームウェアとして無線通信システムに実行されることができ、モノリシック・コミュニケーション・マイクロチップの構造に組み込まれ実行されることができ、或いは、分散またはプログラム化のロジック装置をサポートする構造に実現されることができる。本発明の方法は、図９のように纏められることできる。
【００２９】
図９は、本発明の方法に関する流れ図である。図９に示すように、図４に示されたステップ１００７が図９に無いので、本発明の方法は、ステップ１００６における確認結果がはい（Yse）である際に、ステップ１００６からステップ１００８に進む。言い換えると、ステップ１００３に確認されたポール機能が“ポーリングタイマー”と“タイマーに基づき”
の他のトリガーにより起動された場合、システムは、ポールビットを持つ適切なPDUを再び送信する。また、図９に示されたステップ１０６以外のステップは、図４の示されたステップと全く同じであるので、次にステップ１０６のみを説明する。
【００３０】
ステップ１００６：システムは、送信または再送信に予定されるPDUがないか、また、既に送信した、まだ応答されていない（否定または肯定）PDUがあるかを確認する。確認結果は、はい（Yes）であれば、プロセスはステップ１００８に進み、いいえ（No）であれば、ステップ１０１７にて終了する。
【００３１】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００３２】
【図１】３GPP通信規約における通信システムの三層構成のブロック図である。
【図２】従来のAMD  PDUの例を示すブロック図である。
【図３】送信局と受信局との間において従来のAMD  PDU転送を示すメッセージシーケンス図である。
【図４】従来のポーリング法の流れ図である。
【図５】送信局と受信局との間において従来のAMD  PDU転送を示すメッセージシーケンス図である。
【図６】従来のポーリング法によるデッドロックが発生した例を示すメッセージシーケンス図である。
【図７】本発明によるAMD  PDU転送の実施例を示すメッセージシーケンス図である。
【図８】本発明おける無用なポーリングの送信を避ける実施例を示すメッセージシーケンス図である。
【図９】本発明のポーリング法の流れ図である。
【符号の説明】
【００３３】
１０  送信局
２０  受信局
３０  AMD  PDU
４０  通信システム
４１  送信局
４２  受信局
４００〜４０５  PDU
４０６、４０７  ステータスレポート
SN  シーケンスナンバー
７０  通信システム
７１  送信局
７２  受信局
７００〜７０５  PDU
７０５a  PDU
７０６、７０７  ステータスレポート
【図１】
2006087113.tif 000003
【図２】
2006087113.tif 000004
【図３】
2006087113.tif 000005
【図４】
2006087113.tif 000006
【図５】
2006087113.tif 000007
【図６】
2006087113.tif 000008
【図７】
2006087113.tif 000009
【図８】
2006087113.tif 000010
【図９】
2006087113.tif 000011